(57)【要約】【課題】従来とは異なる手法でケーブルの座屈を抑制する技術を提供すること。【解決手段】複合機において、イメージセンサ２１及びキャリッジ２３は左右方向へ往復移動する。イメージセンサ２１の後端にはスペーサ５８が取り付けられている。スペーサ５８には保持部５８Ｅが設けられ、保持部５８Ｅにはテンションバー６３が通されている。テンションバー６３の右端には、凸部６５Ａを有する弾性延出片６５が設けられている。キャリッジ２３が右方へと往動する際、テンションバー６３は所定位置においてそれ以上右方へは変位不能となるが、スペーサ５８は更に右方へと変位し、凸部６５Ａが保持部５８Ｅに圧接してロック機構６９はロック状態になる。キャリッジ２３が左方へと復動する際には、テンションバー６３はケーブル５５の湾曲部５５Ｃに内接し、ケーブル５５に張力を付与する。【選択図】図４
2014068146.tif 000002
【特許請求の範囲】
【請求項１】
ベース部と、
前記ベース部に対し相対的に第一方向及び第二方向へ往復移動する移動体と、
前記移動体を往復移動させる駆動部と、
可撓性を有し、一端側が前記ベース部に固定され、他端側が前記移動体に連結されるケーブルと
を備え、
前記ケーブルは、湾曲した形状の湾曲部を含み、前記移動体が前記第二方向へ移動する際に当該移動体の移動先となる側に前記湾曲部が位置しており、
前記移動体に取り付けられ、前記移動体に対して相対的に前記第一方向及び前記第二方向へ変位可能で、前記移動体が前記第二方向へ移動する際には、前記湾曲部の内周側に接触するとともに、前記移動体の移動に連動して前記ケーブルに対して張力を付与する張力付与部と、
前記張力付与部が前記移動体に対して相対的に変位する際に前記張力付与部と前記移動体との間にかかる負荷を、前記移動体が前記第二方向へ移動する場合に、前記移動体が前記第一方向へ移動する場合よりも高くする負荷調整部と
を備えるケーブル配線構造。
【請求項２】
前記張力付与部は、前記移動体に組み付けられ、かつ、前記移動体から前記湾曲部側に延びて、その先端が前記湾曲部に内接する押圧部材を有して構成され、
前記移動体が前記第二方向へ移動する際には、前記押圧部材の先端側を前記湾曲部の内周側に接触させ、前記湾曲部から前記押圧部材に作用する力で前記押圧部材を前記移動体に対して相対的に変位させることで、前記湾曲部と前記移動体とを相対的に接近させながら、前記移動体を前記第二方向へと移動させることにより、前記ケーブルに張力を付与する
請求項１に記載のケーブル配線構造。
【請求項３】
前記負荷調整部は、前記張力付与部と前記移動体とを所定の位置で一時的に固定するロック機構である
請求項１又は請求項２に記載のケーブル配線構造。
【請求項４】
前記ロック機構は、前記張力付与部及び前記移動体のうち、いずれか一方に設けられた圧接部が他方に設けられた被圧接部に圧接する構造、又は、前記一方に設けられた係合部が前記他方に設けられた被係合部と係合する構造とされている
請求項３に記載のケーブル配線構造。
【請求項５】
前記ロック機構は、前記移動体が第二方向へ移動するのに伴って、前記湾曲部から前記張力付与部に作用する力が所定以上となったときに、ロック状態が解除される
請求項４に記載のケーブル配線構造。
【請求項６】
ベース部と、
前記ベース部に対し相対的に第一方向及び第二方向へ往復移動するキャリッジ、及び前記キャリッジに取り付けられ、前記キャリッジが前記第一方向へ移動する際に原稿の画像を読み取るイメージセンサを有する移動体と、
前記移動体を往復移動させる駆動部と、
可撓性を有し、一端側が前記ベース部に固定され、他端側が前記イメージセンサに連結されるケーブルと
を備え、
前記ケーブルは、湾曲した形状の湾曲部を含み、前記移動体が前記第二方向へ移動する際に当該移動体の移動先となる側に前記湾曲部が位置しており、
前記移動体に取り付けられ、前記移動体に対して相対的に前記第一方向及び前記第二方向へ変位可能で、前記移動体が前記第二方向へ移動する際には、前記湾曲部の内周側に接触するとともに、前記移動体の移動に連動して前記ケーブルに対して張力を付与する張力付与部と、
前記張力付与部が前記移動体に対して相対的に変位する際に前記張力付与部と前記移動体との間にかかる負荷を、前記移動体が前記第二方向へ移動する場合に、前記移動体が前記第一方向へ移動する場合よりも高くする負荷調整部と
を備える画像読取装置。
【請求項７】
前記負荷調整部は、前記イメージセンサによる画像の読み取りが実行され得る所定の読取範囲から、更に前記第一方向へ移動したときに、前記張力付与部と前記移動体との間にかかる負荷を高くする
請求項６に記載の画像読取装置。
【請求項８】
前記移動体は、前記イメージセンサと、その上方に位置する原稿載置部との間の距離を一定に保つためのスペーサを有し、
前記張力付与部は、前記スペーサに取り付けられる
請求項６又は請求項７に記載の画像読取装置。
【請求項９】
前記張力付与部と前記イメージセンサは、平面視したときに互いに重ならず、かつ、所定方向から側面視したときには互いに重なる位置に配設されている
請求項６〜請求項８のいずれか一項に記載の画像読取装置。
【発明の詳細な説明】
【技術分野】
【０００１】
本発明は、ケーブル配線構造、及び画像読取装置に関する。
【背景技術】
【０００２】
従来、画像読取装置が備えるイメージセンサや、画像形成装置が備える記録ヘッドとしては、キャリッジと呼ばれる移動体に搭載されて、装置内を往復移動するように構成されたものが知られている。また、この種の装置において、装置のベース部と移動体との間にケーブルを配線する際には、ケーブルを両端間で略Ｕ字状に湾曲させて、その一端をベース部側に連結し、他端を移動体側に連結することも行われている。
【０００３】
このようなケーブル配線構造において、移動体の移動先側となる位置にケーブルの湾曲部が位置する場合、移動体との連結部から湾曲部に至る部位においてケーブルには圧縮力が作用する。そのため、ケーブルが上記のような圧縮力に耐えるだけの十分な強度を備えていない場合、ケーブルが座屈して損傷するおそれがあった。
【０００４】
座屈荷重（座屈が発生する荷重）は、オイラーの座屈荷重の式に示されるように、ケーブルのヤング率が大きくなるほど大きくなる。そのため、例えば、特許文献１に記載の発明では、ケーブルに弾性部材（テンションテープ）を貼り付けることにより、ケーブルの合成ヤング率を大きくして座屈の発生を抑制している。
【先行技術文献】
【特許文献】
【０００５】
【特許文献１】特開２００８−７８８５１号公報
【発明の概要】
【発明が解決しようとする課題】
【０００６】
しかし、上述のような弾性部材（テンションテープ）をケーブルに貼り付ける方法では、例えば、ケーブルを変更した場合やケーブルに個体差がある場合には、上述の合成ヤング率が十分に大きくならないおそれもある。
【０００７】
そのため、特許文献１に記載の技術において、上述の合成ヤング率が想定以上に小さくなるのを確実に防ぐには、テンションテープを含むケーブルのヤング率を厳しく管理する必要があり、その管理には面倒な手間がかかるという問題があった。
【０００８】
また、そのような手間をかけるのであれば、個々のケーブルを検品して合成ヤング率が不十分なものを不合格品として排除することはできるが、それでは歩留まりが低下してしまうという問題もあった。
【０００９】
本発明は、上記のような課題を解決しようとするものであり、その目的の一つは、従来とは異なる手法でケーブルの座屈を抑制する技術を提供することにある。
【課題を解決するための手段】
【００１０】
以下、本発明において採用した構成について説明する。
まず、本発明のケーブル配線構造は、ベース部と、前記ベース部に対し相対的に第一方向及び第二方向へ往復移動する移動体と、前記移動体を往復移動させる駆動部と、可撓性を有し、一端側が前記ベース部に固定され、他端側が前記移動体に連結されるケーブルとを備え、前記ケーブルは、湾曲した形状の湾曲部を含み、前記移動体が前記第二方向へ移動する際に当該移動体の移動先となる側に前記湾曲部が位置しており、前記移動体に取り付けられ、前記移動体に対して相対的に前記第一方向及び前記第二方向へ変位可能で、前記移動体が前記第二方向へ移動する際には、前記湾曲部の内周側に接触するとともに、前記移動体の移動に連動して前記ケーブルに対して張力を付与する張力付与部と、前記張力付与部が前記移動体に対して相対的に変位する際に前記張力付与部と前記移動体との間にかかる負荷を、前記移動体が前記第二方向へ移動する場合に、前記移動体が前記第一方向へ移動する場合よりも高くする負荷調整部とを備える。
【００１１】
このように構成されたケーブル配線構造によれば、移動体の往復移動に追従するかたちでケーブルが変位する。このとき、ケーブルの湾曲部も変位することになるが、移動体が第二方向へ移動する際には、張力付与部が湾曲部の内周側に接触し、移動体の移動に連動してケーブルに対して張力を付与する。
【００１２】
そのため、移動体がケーブルの湾曲部側に向かって移動する際には、湾曲部を内周側から第二方向へと押圧しつつ、移動体が第二方向へと移動することになる。したがって、移動体が湾曲部に対して過度に接近することがなく、そのような過度な接近に伴ってケーブルを座屈させてしまうといったトラブルを招くことがない。特に、ケーブルは、ヤング率の粗密、製造時の傷等により、座屈しやすい箇所（座屈ポイント）を持っていることが多いが、このようなケーブルでも、本発明によれば、移動体が第二方向へ移動する際に、座屈ポイントにおいて座屈が生じることを抑制できる。
【００１３】
また、移動体が第一方向へ移動する際には、張力付与部と移動体との間にかかる負荷が低減される一方、移動体が第二方向へ移動する際には、張力付与部と移動体との間にかかる負荷が高くなる。したがって、移動体が第二方向へ移動する際には、張力付与部によってケーブルに対して適切に張力を付与することができ、移動体が第一方向へ移動する際には、張力付与部と移動体との間に余計な負荷をかけないようにすることができる。
【００１４】
ところで、本発明のケーブル配線構造において、張力付与部の具体的な構造については様々なものを考え得る。一例を挙げれば、前記張力付与部は、前記移動体に組み付けられ、かつ、前記移動体から前記湾曲部側に延びて、その先端が前記湾曲部に内接する押圧部材を有して構成され、前記移動体が前記第二方向へ移動する際には、前記押圧部材の先端側を前記湾曲部の内周側に接触させ、前記湾曲部から前記押圧部材に作用する力で前記押圧部材を前記移動体に対して相対的に変位させることで、前記湾曲部と前記移動体とを相対的に接近させながら、前記移動体を前記第二方向へと移動させることにより、前記ケーブルに張力を付与するものであることが好ましい。
【００１５】
また、本発明のケーブル配線構造において、前記負荷調整部は、前記張力付与部と前記移動体とを所定の位置で一時的に固定するロック機構であることが好ましい。
このように構成されたケーブル配線構造によれば、ロック機構を利用して張力付与部と移動体とを所定の位置で一時的に固定することにより、張力付与部と移動体との間に作用する負荷を高めることができる。
【００１６】
また、本発明のケーブル配線構造において、前記ロック機構は、前記張力付与部及び前記移動体のうち、いずれか一方に設けられた圧接部が他方に設けられた被圧接部に圧接する構造、又は、前記一方に設けられた係合部が前記他方に設けられた被係合部と係合する構造とされていることが好ましい。
【００１７】
このように構成されたケーブル配線構造によれば、張力付与部及び移動体以外に別の部品を使用することなく負荷調整部を構成できる。
また、本発明のケーブル配線構造において、前記ロック機構は、前記移動体が第二方向へ移動するのに伴って、前記湾曲部から前記張力付与部に作用する力が所定以上となったときに、ロック状態が解除されることが好ましい。
【００１８】
このように構成されたケーブル配線構造によれば、ロックを解除するための専用の機構が不要である。
次に、本発明の画像読取装置は、ベース部と、前記ベース部に対し相対的に第一方向及び第二方向へ往復移動するキャリッジ、及び前記キャリッジに取り付けられ、前記キャリッジが前記第一方向へ移動する際に原稿の画像を読み取るイメージセンサを有する移動体と、前記移動体を往復移動させる駆動部と、可撓性を有し、一端側が前記ベース部に固定され、他端側が前記イメージセンサに連結されるケーブルとを備え、前記ケーブルは、湾曲した形状の湾曲部を含み、前記移動体が前記第二方向へ移動する際に当該移動体の移動先となる側に前記湾曲部が位置しており、前記移動体に取り付けられ、前記移動体に対して相対的に前記第一方向及び前記第二方向へ変位可能で、前記移動体が前記第二方向へ移動する際には、前記湾曲部の内周側に接触するとともに、前記移動体の移動に連動して前記ケーブルに対して張力を付与する張力付与部と、前記張力付与部が前記移動体に対して相対的に変位する際に前記張力付与部と前記移動体との間にかかる負荷を、前記移動体が前記第二方向へ移動する場合に、前記移動体が前記第一方向へ移動する場合よりも高くする負荷調整部とを備える。
【００１９】
このように構成された画像読取装置によれば、移動体の往復移動に追従するかたちでケーブルが変位する。このとき、ケーブルの湾曲部も変位することになるが、移動体が第二方向へ移動する際には、張力付与部が湾曲部の内周側に接触し、移動体の移動に連動してケーブルに対して張力を付与する。
【００２０】
そのため、移動体がケーブルの湾曲部側に向かって移動する際には、湾曲部を内周側から第二方向へと押圧しつつ、移動体が第二方向へと移動することになる。したがって、移動体が湾曲部に対して過度に接近することがなく、そのような過度な接近に伴ってケーブルを座屈させてしまうといったトラブルを招くことがない。
【００２１】
また、移動体が第一方向へ移動する際には、張力付与部と移動体との間にかかる負荷が低減される一方、移動体が第二方向へ移動する際には、張力付与部と移動体との間にかかる負荷が高くなる。したがって、移動体が第二方向へ移動する際には、張力付与部によってケーブルに対して適切に張力を付与することができ、移動体が第一方向へ移動する際には、張力付与部と移動体との間に余計な負荷をかけないようにすることができ、イメージセンサによって読み取られる画像の品質に悪影響が及ぶのを防止ないし抑制することができる。
【００２２】
また、本発明の画像読取装置において、前記負荷調整部は、前記イメージセンサによる画像の読み取りが実行され得る所定の読取範囲から、更に前記第一方向へ移動したときに、前記張力付与部と前記移動体との間にかかる負荷を高くすることが好ましい。
【００２３】
このように構成された画像読取装置によれば、イメージセンサにより画像の読み取りに影響がない状態で、張力付与部と移動体との間にかかる負荷を変えることができ、移動体が第二方向へ移動を開始する時点で、確実に負荷を高くした状態にすることができる。
【００２４】
また、本発明の画像読取装置において、前記移動体は、前記イメージセンサと、その上方に位置する原稿載置部との間の距離を一定に保つためのスペーサを有し、前記張力付与部は、前記スペーサに取り付けられることが好ましい。
【００２５】
このように構成された画像読取装置によれば、原稿載置部との位置関係が安定した状態にあるスペーサに張力付与部が取り付けられているため、張力付与部も安定した位置を保って、移動体とともに移動させることができる。
【００２６】
また、本発明の画像読取装置において、前記張力付与部と前記イメージセンサは、平面視したときに互いに重ならず、かつ、所定方向から側面視したときには互いに重なる位置に配設されていることが好ましい。
【００２７】
このように構成された画像読取装置によれば、張力付与部と前記イメージセンサは、上述のような位置に配設されているので、平面視したときに互いに重なる位置にある場合に比べ、画像読取装置の高さ方向寸法を低くし、装置の薄型化を図ることができる。
【図面の簡単な説明】
【００２８】
【図１】複合機全体の外観を示す斜視図。
【図２】複合機の内部構成を示すブロック図。
【図３】スキャナユニットの内部構造を示す斜視図。
【図４】スキャナユニットの内部構造の一部を抽出して示す斜視図。
【図５】スペーサ付近の斜視図。
【図６】スキャナユニットの内部構造及びその一部を拡大して示す縦断面図。
【図７】イメージセンサが第一方向へ移動するときのスペーサ及びテンションバーの変位状態を示す説明図。
【図８】ロック機構の挙動を示す説明図。
【図９】イメージセンサが第二方向へ移動するときのスペーサ及びテンションバーの変位状態を示す説明図。
【発明を実施するための形態】
【００２９】
次に、本発明の実施形態について一例を挙げて説明する。本実施形態において例示するケーブル配線構造は、画像読取装置が備えるものである。また、画像読取装置としては、画像読取装置としての機能（スキャン機能）に加え、その他の機能（例えば、プリント機能、コピー機能、ファクシミリ送受信機能など）を兼ね備えた複合機として構成されたものを例示する。なお、以下の説明においては、複合機の各部について、それらの相対的な位置関係を簡潔に説明するため、図中に併記した上下左右前後の各方向を利用して説明を行う。
【００３０】
［複合機の構造］
図１に示すように、複合機１は、本体ユニット２と、本体ユニット２の上側に搭載されたスキャナユニット３と、スキャナユニット３の上側に搭載されたＡＤＦユニット４とを備えている。
【００３１】
これらのうち、スキャナユニット３は、フラットベッド型イメージスキャナに相当する構成を備えている。また、ＡＤＦユニット４は、ＡＤＦ（Automatic Document Feeder；自動原稿送り装置）に相当する構成を備え、スキャナユニット３とＡＤＦユニット４が協働することで、ＡＤＦ型イメージスキャナとして機能する。
【００３２】
本体ユニット２の前側上部には、利用者によって操作される操作パネル６が設けられている。本体ユニット２の下部には、印刷前の被記録媒体が収納される給紙カセット８Ａ，８Ｂが装着されている。
【００３３】
本体ユニット２には、図２に示すように、上述した操作パネル６の他、制御部１１、画像形成部１２、ＬＡＮ通信部１３、ＰＳＴＮ通信部１４などが設けられている。
制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備えている。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３４】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３５】
操作パネル６には、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）が設けられている。
【００３６】
スキャナユニット３には、複数の読取素子を有するライン型のイメージセンサ２１と、イメージセンサ２１を支持するキャリッジ２３が設けられている。これらイメージセンサ２１及びキャリッジ２３は、本発明でいう移動体の一例に相当する。
【００３７】
また、スキャナユニット３には、モータ２５と、モータ２５によって駆動されるギヤ機構２７と、ギヤ機構２７によって駆動されるタイミングベルト２９などが設けられ、上述のキャリッジ２３は、タイミングベルト２９に連結されている。モータ２５は、制御部１１のインターフェース部１１Ｅに設けられたモータ駆動部１１Ｇから駆動信号を受けて作動する。これらモータ２５、ギヤ機構２７、タイミングベルト２９、及びモータ駆動部１１Ｇは、本発明でいう駆動部の一例に相当する。
【００３８】
モータ２５が発生させた動力は、ギヤ機構２７及びタイミングベルト２９を介してキャリッジ２３へと伝達される。その結果、キャリッジ２３はイメージセンサ２１とともに図中に示した右方向（本発明でいう第一方向の一例に相当。）及び左方向（本発明でいう第二方向の一例に相当。）へ移動する。
【００３９】
ＡＤＦユニット４には、原稿を所定の搬送経路に沿って搬送する搬送ローラ３１〜３９が設けられている。また、ＡＤＦユニット４には、モータ４１と、モータ４１によって駆動されるギヤ機構４３などが設けられている。モータ４１は、制御部１１のインターフェース部１１Ｅに設けられたモータ駆動部１１Ｆから駆動信号を受けて作動する。
【００４０】
モータ４１が発生させた動力は、ギヤ機構４３を介して搬送ローラ３１〜３９へと伝達される。搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。このようなＡＤＦユニット４がスキャナユニット３と協働することで、複合機１がＡＤＦ型イメージスキャナとして機能する。
【００４１】
［スキャナユニットの詳細］
図１に示すように、スキャナユニット３の上部には、プラテンガラス５１が取り付けられている。プラテンガラス５１の上面は、第一領域５１Ａ及び第二領域５１Ｂに区画されている。第一領域５１Ａは、複合機１がフラットベッド型イメージスキャナとして利用される際に原稿が載置される部分である（本発明でいう原稿載置部の一例に相当。）。第二領域５１Ｂは、複合機１がＡＤＦ型イメージスキャナとして利用される際にＡＤＦユニット４によって搬送される原稿が接触しつつ通過する部分である。なお、本実施形態では、一枚のプラテンガラス５１を利用して第一領域５１Ａと第二領域５１Ｂを構成してあるが、第一領域５１Ａと第二領域５１Ｂとを別々のプラテンガラスによって構成してもよい。
【００４２】
スキャナユニット３の内部には、図３に示すように、上述したイメージセンサ２１、キャリッジ２３、タイミングベルト２９などが配設されている。
イメージセンサ２１は、本実施形態の場合、密着イメージセンサ（ＣＩＳ；Contact Image Sensor）とされている。イメージセンサ２１が有する複数の読取素子は、複合機１における前後方向に配列されている。以下、この読取素子の配列方向である前後方向のことを主走査方向とも称する。
【００４３】
スキャナユニット３が備えるベース部３Ａの上側には、左右方向に延びるガイド部５３が設けられている。タイミングベルト２９が駆動された際、キャリッジ２３はガイド部５３に沿ってベース部３Ａに対し相対的に左右方向へ移動する。以下、このイメージセンサ２１及びキャリッジ２３の移動方向である左右方向のことを副走査方向とも称する。
【００４４】
スキャナユニット３の内部で、タイミングベルト２９よりも装置後方となる位置には、ケーブル５５が設けられている。このケーブル５５は、可撓性を有する帯状ケーブルであり、本実施形態ではフレキシブルフラットケーブル（Flexible Flat Cable；ＦＦＣ）が採用されている。ケーブル５５の一端５５Ａは、ベース部３Ａに固定され、ケーブル５５の他端５５Ｂはイメージセンサ２１に連結されている。
【００４５】
ケーブル５５の両端間には、ケーブル５５を略Ｕ字状に湾曲させることにより、湾曲部５５Ｃが形成されている。この湾曲部５５Ｃは、キャリッジ２３が左方向へ移動する際に当該キャリッジ２３の移動先となる側（すなわち、キャリッジ２３よりも左側。）に位置している。
【００４６】
イメージセンサ２１の前端には、図３及び図４に示すように、スペーサ５７が取り付けられ、イメージセンサ２１の後端には、スペーサ５８が取り付けられている。これらスペーサ５７，５８も、イメージセンサ２１及びキャリッジ２３とともに移動する部材であり、本発明でいう移動体の一例に相当する。これらスペーサ５７，５８は、図５（ａ）及び図５（ｂ）に示すように、上端側に転動輪５７Ａ，５７Ｂ，５８Ａ，５８Ｂを備えている。また、スペーサ５７の上端で転動輪５７Ａ，５７Ｂの間となる箇所には、２つの凸部５７Ｃ，５７Ｄが形成され、スペーサ５８の上端で転動輪５８Ａ，５８Ｂの間となる箇所には、２つの凸部５８Ｃ，５８Ｄが形成されている。これら凸部５７Ｃ，５７Ｄ，５８Ｃ，５８Ｄの上端は、転動輪５７Ａ，５７Ｂ，５８Ａ，５８Ｂの上端と同じ高さに設定されている。
【００４７】
イメージセンサ２１は、キャリッジ２３に対して相対的に上下動可能な状態でキャリッジ２３上に支持されている。イメージセンサ２１とキャリッジ２３の間には、図６に示すように、圧縮ばね６１Ａ，６１Ｂが介装され、イメージセンサ２１は、上方へと付勢されている。そのため、スペーサ５７，５８は、イメージセンサ２１とともに上方へと付勢され、転動輪５７Ａ，５７Ｂ，５８Ａ，５８Ｂは、プラテンガラス５１の下面に圧接する状態にある。
【００４８】
これにより、キャリッジ２３が左右方向へ移動する際、仮にキャリッジ２３がいくらか上下動したとしても、イメージセンサ２１及びスペーサ５７，５８は、転動輪５７Ａ，５７Ｂ，５８Ａ，５８Ｂ、及び凸部５７Ｃ，５７Ｄ，５８Ｃ，５８Ｄがプラテンガラス５１の下面に圧接する状態を維持したまま左右方向へ移動する。その結果、イメージセンサ２１とプラテンガラス５１との間の距離は一定に保たれることになる。なお、転動輪５７Ａ，５７Ｂ，５８Ａ，５８Ｂ、及び凸部５７Ｃ，５７Ｄ，５８Ｃ，５８Ｄについては、転動輪５７Ａ，５７Ｂ，５８Ａ，５８Ｂを省略して凸部５７Ｃ，５７Ｄ，５８Ｃ，５８Ｄだけが設けられていてもよいし、凸部５７Ｃ，５７Ｄ，５８Ｃ，５８Ｄを省略して転動輪５７Ａ，５７Ｂ，５８Ａ，５８Ｂだけが設けられていてもよい。
【００４９】
スペーサ５８には、図３〜図６に示すように、テンションバー６３（本発明でいう張力付与部ないし押圧部材の一例に相当。）が取り付けられている。このテンションバー６３は、スペーサ５８に設けられた保持部５８Ｅに通されて、スペーサ５８に対して相対的に左右方向へ変位可能な状態で保持されている。
【００５０】
テンションバー６３とイメージセンサ２１は、図６の拡大図部分を見れば明らかなように、上方から見たとき（すなわち、平面視したとき。）には互いに重ならない位置にあり、かつ、後方から側面視したときには互いに重なる位置に配設されている。そのため、同等な寸法のテンションバー６３とイメージセンサ２１を上方から見て重なる位置に配置した場合に比べ、上下方向寸法の薄型化を図ることができる。
【００５１】
テンションバー６３の左端には、テンションバー６３が左方へ変位した際に、ケーブル５５が有する湾曲部５５Ｃに内接する当接部６４が設けられている。当接部６４は、左方へ凸な曲面をなす形状で、その曲面部分で湾曲部５５Ｃの内周面に接触することで、ケーブル５５に過度な力が加わらないようにされている。
【００５２】
一方、テンションバー６３の右端には、図５（ｂ）に示すように、左端側を基端として右方へと延出した形状で、その延出部分を弾性変形させると右端が前後方向へ変位する弾性延出片６５が設けられている。弾性延出片６５の右端には、装置後方に向かって突出する凸部６５Ａが形成されている。
【００５３】
テンションバー６３を左方へと変位させた際、凸部６５Ａと保持部５８Ｅが前後方向に重なる位置までテンションバー６３が移動すると、凸部６５Ａは保持部５８Ｅに圧接する。なお、凸部６５Ａは本発明でいう圧接部の一例に相当し、保持部５８Ｅは本発明でいう被圧接部の一例に相当する。
【００５４】
凸部６５Ａが保持部５８Ｅに圧接していない場合、テンションバー６３は所定のしきい値よりも小さな力を加えるだけでもスペーサ５８に対して相対的に左右方向へ変位する状態（以下、この状態をアンロック状態ともいう。）にある。一方、凸部６５Ａが保持部５８Ｅに圧接している場合、テンションバー６３は所定のしきい値よりも小さな力を加えるだけではスペーサ５８に対して相対的に左右方向へ変位しない状態（以下、この状態をロック状態ともいう。）になる。
【００５５】
テンションバー６３がロック状態となった場合でも、テンションバー６３に対して所定のしきい値以上の力を加えれば、テンションバー６３を右方へと変位させることができる。これにより、凸部６５Ａと保持部５８Ｅが前後方向に重ならない位置までテンションバー６３が移動すれば、凸部６５Ａと保持部５８Ｅが圧接しない状態になり、上述のアンロック状態となる。
【００５６】
すなわち、これら凸部６５Ａと保持部５８Ｅは、テンションバー６３の位置に応じて上述のロック状態及びアンロック状態をいずれか一方に切り替えるロック機構６９（本発明でいうロック機構ないし負荷調整部の一例に相当。）を構成している。
【００５７】
［テンションバーの挙動］
以上のように構成された複合機１をフラットベッド型イメージスキャナとして利用する際、キャリッジ２３は、可動範囲の左端寄りにある初期位置から右方へと往動し、可動範囲の右端に至ったら左方へと復動して初期位置へ復帰する。その際、イメージセンサ２１は、キャリッジ２３が右方へと往動する期間に、プラテンガラス５１の上面に載置された原稿の画像を読み取る。
【００５８】
キャリッジ２３が初期位置にある場合、図７（ａ）に示すように、スペーサ５８は位置Ｓ１にあり、テンションバー６３は位置Ｔ１にある。なお、以下の説明において、スペーサ５８の位置及びテンションバー６３の位置は、それぞれの左右方向略中央となる位置で示すことにする。
【００５９】
キャリッジ２３が往動を開始して初期位置から右方へと変位すると、スペーサ５８及びテンションバー６３もキャリッジ２３とともに右方へと変位する。そして、キャリッジ２３とともに移動するスペーサ５８が位置Ｓ２へ到達すると、テンションバー６３は位置Ｔ２へと到達する。この時点で、テンションバー６３の右端はベース部３Ａに当接する。そのため、テンションバー６３は、それ以上右方へ変位できない状態となる。
【００６０】
ただし、テンションバー６３はスペーサ５８に対して相対的に左右方向へ変位可能な構造になっているので、テンションバー６３の右端がベース部３Ａに当接しても、スペーサ５８は更に右方へと変位することができる。しかも、このとき、上述したロック機構６９はアンロック状態にあるため、テンションバー６３は僅かな力が加わるだけでスペーサ５８に対して変位する。
【００６１】
そのため、テンションバー６３の右端がベース部３Ａに当接しても、キャリッジ２３の往動が妨げられることはなく、キャリッジ２３は極めてスムーズに右方への移動を継続する。また、キャリッジ２３の変位に伴ってスペーサ５８も右方への移動を継続し、図７（ｂ）に示すように位置Ｓ３に到達する。なお、テンションバー６３は右方への変位ができないので、位置Ｔ２から変位しない。
【００６２】
イメージセンサ２１は、スペーサ５８が位置Ｓ１から位置Ｓ３へと変位する期間内に、プラテンガラス５１の上面に載置された原稿の画像を読み取る。この読み取り期間内に、テンションバー６３の右端はベース部３Ａに当接することになるが、上述の通り、キャリッジ２３は、極めてスムーズに右方への移動を継続するので、テンションバー６３とベース部３Ａとの当接によって画像の読み取り品質に悪影響が及ぶことはない。
【００６３】
さて、スペーサ５８が位置Ｓ３へ到達した後、キャリッジ２３は更に右方への移動を継続する。また、キャリッジ２３の変位に伴ってスペーサ５８も右方への移動を継続し、図７（ｃ）に示すように位置Ｓ４に到達する。なお、テンションバー６３は右方への変位ができないので、位置Ｔ２から変位しない。
【００６４】
スペーサ５８が図８（ａ）に示す位置Ｓ３から図８（ｂ）に示す位置Ｓ４へ変位する際には、スペーサ５８の保持部５８Ｅが、弾性延出片６５の凸部６５Ａに当接する。これにより、テンションバー６３は、弾性延出片６５を弾性変形させつつ位置Ｓ４へと変位することになり、上述したロック機構６９はロック状態になる。
【００６５】
ロック機構６９がアンロック状態からロック状態に切り替わる際には、スペーサ５８とテンションバー６３との間に作用する摺動抵抗（摩擦抵抗）が増大する。そのため、キャリッジ２３には制動力が作用し、キャリッジ２３はいくらか減速することになるが、この時点では画像の読み取りを完了しているので、キャリッジ２３の減速によって画像の読み取り品質に悪影響が及ぶことはない。
【００６６】
スペーサ５８が位置Ｓ４へ到達した後、キャリッジ２３は復動を開始して左方へと変位する。キャリッジ２３が僅かに左方へと移動して、図９（ａ）に示すように、スペーサ５８が位置Ｓ５へと変位し、テンションバー６３が位置Ｔ５へと変位した時点では、テンションバー６３の左端にある当接部６４は、ケーブル５５には到達していない。
【００６７】
この時点では、ケーブル５５の撓み具合によっては、ケーブル５５がプラテンガラス５１の下面に接触し、その接触箇所間に摩擦抵抗が作用する。そのため、ケーブル５５の他端５５Ｂがキャリッジ２３とともに左方へ変位するだけでは、ケーブル５５の湾曲部５５Ｃを左方へと押し出すことができない状態になることがあり、その場合、湾曲部５５Ｃと他端５５Ｂとの間においてケーブル５５の撓みが増大する。仮に、このような撓みが更に増大するようなことがあれば、ケーブル５５の座屈を招くおそれがある。
【００６８】
しかし、この複合機１においては、キャリッジ２３が更に左方へと変位すれば、ある位置において、テンションバー６３の左端にある当接部６４が、ケーブル５５の湾曲部５５Ｃに内接するようになる。これは、キャリッジ２３が所定期間内に移動する距離に対し、湾曲部５５Ｃの部分が移動する距離が短いためである。
【００６９】
より詳しくは、ケーブル５５は、湾曲部５５Ｃにおいて略Ｕ字状に湾曲させてあるため、キャリッジ２３が左方へ所定距離だけ移動した際、仮にケーブル５５の他端５５Ｂと湾曲部５５Ｃの間でケーブル５５に撓みが生じなかったとしても、湾曲部５５Ｃの移動距離は、キャリッジ２３の移動距離の約半分となる。しかも、上述の通り、実際にはケーブル５５の他端５５Ｂと湾曲部５５Ｃの間でケーブル５５に撓みが生じることもあるので、その場合、湾曲部５５Ｃの移動距離は更に短くなる。そのため、キャリッジ２３とともにテンションバー６３が移動すれば、テンションバー６３の左端にある当接部６４は、当接部６４の移動距離よりも半分未満の距離しか移動しないケーブル５５の湾曲部５５Ｃに追いつくことになり、湾曲部５５Ｃに内接する状態に至るのである。
【００７０】
そして、以降は、図９（ｂ）に示すように、テンションバー６３がキャリッジ２３とともに左方へと移動する際に、当接部６４がケーブル５５の湾曲部５５Ｃを左方へと押し出すように作用する。したがって、テンションバー６３によってケーブル５５に対して張力を付与することができ、これにより、ケーブル５５が座屈するのを防止ないし抑制することができる。すなわち、仮に、ケーブル５５がヤング率の粗密、製造時の傷等により、座屈しやすい箇所（座屈ポイント）を持っていたとしても、テンションバー６３がケーブル５５に対して張力を付与しながら移動するため、このような座屈ポイントにおいて座屈が生じることを抑制できるのである。
【００７１】
ところで、図９（ｂ）に示すように、スペーサ５８が位置Ｓ６へと変位し、テンションバー６３が位置Ｔ６へと変位した時点で、ケーブル５５は、余計な撓みが完全に伸びきった状態になる。この状態になっても、キャリッジ２３は左方への移動を継続し、それに伴ってスペーサ５８も左方への移動を継続する。しかし、テンションバー６３の左端にある当接部６４には湾曲部５５Ｃから押圧力が作用するようになり、テンションバー６３は左方への変位が妨げられる状態になる。
【００７２】
そのため、テンションバー６３は左方への変位を継続するものの、その変位量はスペーサ５８よりも小さくなる。このような状態になると、スペーサ５８はテンションバー６３に対して相対的に左方へと変位するため、湾曲部５５Ｃからテンションバー６３に作用する力は徐々に増大する。そして、その力が所定以上となった時点で、テンションバー６３の弾性延出片６５は保持部５８Ｅから外れる位置へと変位することになり、上述したロック機構６９はアンロック状態になる。したがって、このようなロック機構６９であれば、ロックを解除するための専用の機構を備えていなくても、キャリッジ２３の変位に連動させてロックを解除することができる。
【００７３】
ロック機構６９がロック状態からアンロック状態に切り替わる際には、スペーサ５８とテンションバー６３との間に作用する摺動抵抗（摩擦抵抗）が減少する。そのため、キャリッジ２３にかかる負荷が変動することになるが、この時点では画像の読み取りを行っていないので、キャリッジ２３にかかる負荷の変動によって画像の読み取り品質に悪影響が及ぶことはない。
【００７４】
以降、キャリッジ２３は左方への移動を継続して、図９（ｃ）に示すように、初期位置へと復帰する。このとき、スペーサ５８もキャリッジ２３とともに左方へと移動する。テンションバー６３も湾曲部５５Ｃを押圧しつつ左方へと移動するが、同時にテンションバー６３は湾曲部５５Ｃからの力を受けてスペーサ５８に対して相対的に右方へも変位する。そのため、テンションバー６３の左方への変位量は、スペーサ５８よりも小さくなり、テンションバー６３とスペーサ５８は互いの相対位置を変化させつつ初期位置へと復帰することになる。
【００７５】
［効果］
以上説明した通り、上記複合機１によれば、イメージセンサ２１及びキャリッジ２３が左方向へ移動する際には、テンションバー６３が湾曲部５５Ｃの内周側に接触し、ケーブル５５に対して張力を付与する。イメージセンサ２１及びキャリッジ２３が湾曲部５５Ｃに対して過度に接近することがなく、そのような過度な接近に伴ってケーブル５５を座屈させてしまうといったトラブルを招くことがない。
【００７６】
また、イメージセンサ２１及びキャリッジ２３が右方向へ移動する際には、ロック機構６９がアンロック状態となってテンションバー６３とスペーサ５８との間にかかる負荷が低減される。一方、イメージセンサ２１及びキャリッジ２３が左方向へ移動する際には、ロック機構６９がロック状態となってテンションバー６３とスペーサ５８との間にかかる負荷が高くなる。
【００７７】
したがって、イメージセンサ２１及びキャリッジ２３が左方向へ移動する際には、テンションバー６３によってケーブル５５に対して適切に張力を付与することができる。また、イメージセンサ２１及びキャリッジ２３が右方向へ移動する際には、テンションバー６３とスペーサ５８との間に余計な負荷をかけないようにすることができ、イメージセンサ２１によって読み取られる画像の品質に悪影響が及ぶのを防止ないし抑制することができる。
【００７８】
すなわち、ロック機構６９を設けたことにより、イメージセンサ２１及びキャリッジ２３が往復移動する際、往動時にはテンションバー６３がより容易に左右方向へ変位し、復動時にはテンションバー６３が容易には左右方向へ変位しなくなる。したがって、このようなロック機構６９を備えていないものとは異なり、往動時にテンションバー６３が容易に左右方向へ変位するように設計したことが原因で、復動時にケーブル５５に作用させる張力が低下してしまう、といった状況に陥ることはない。また、復動時にテンションバー６３が容易には左右方向へ変位しないように設計したことが原因で、往動時にテンションバー６３がキャリッジ２３の移動を妨げることもない。
【００７９】
［その他の実施形態］
以上、本発明の実施形態について説明したが、本発明は上記の具体的な一実施形態に限定されず、この他にも種々の形態で実施することができる。
【００８０】
例えば、上記実施形態では、ロック機構６９として、テンションバー６３側に設けられた凸部６５Ａが、スペーサ５８側に設けられた保持部５８Ｅに圧接する構造を例示したが、保持部５８Ｅ側に弾性的に支持された圧接部を設けて、その圧接部がテンションバー６３側に圧接するように構成されていてもよい。
【００８１】
また、このような圧接に伴ってテンションバー６３に作用する負荷が変動する構造の他、スペーサ５８側及びテンションバー６３側のいずれか一方に係合部、他方に被係合部を設けて、両者が係合するか否かに応じて負荷が変動する構造を採用してもよい。すなわち、移動体側（例えばスペーサ５８）と張力付与部（例えばテンションバー６３）との間に作用する負荷を変動させる構造にできるのであれば、圧接という手法をとるか、係合という手法をとるか、あるいは、その他の手法をとるかは任意である。
【００８２】
さらに、上記実施形態では、複合機１が備えるイメージセンサ２１及びキャリッジ２３を移動体とし、イメージセンサ２１とベース部３Ａとの間にケーブル５５を配線する例を示したが、本発明のケーブル配線構造は、画像読取装置以外においても採用可能である。
【００８３】
例えば、ベース部に対して相対的に往復移動する記録ヘッドを備えた画像形成装置において、ベース部と記録ヘッドとの間にケーブルを配線する際に、本発明の構成を採用することができる。また、画像形成装置や画像読取装置といった画像処理系の機器以外であっても、例えば工作機械など、ベース部に対して相対的に往復移動する移動体を備えた機器であれば、本発明の構成を採用することができる。
【００８４】
また、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用してもよい。
【符号の説明】
【００８５】
１・・・複合機、２・・・本体ユニット、３・・・スキャナユニット、３Ａ・・・ベース部、４・・・ＡＤＦユニット、６・・・操作パネル、８Ａ，８Ｂ・・・給紙カセット、１１・・・制御部、１１Ａ・・・ＣＰＵ、１１Ｂ・・・ＲＯＭ、１１Ｃ・・・ＲＡＭ、１１Ｄ・・・ＮＶＲＡＭ、１１Ｅ・・・インターフェース部、１１Ｆ，１１Ｇ・・・モータ駆動部、１２・・・画像形成部、１３・・・ＬＡＮ通信部、１４・・・ＰＳＴＮ通信部、２１・・・イメージセンサ、２３・・・キャリッジ、２５，４１・・・モータ、２７，４３・・・ギヤ機構、２９・・・タイミングベルト、３１〜３９・・・搬送ローラ、５１・・・プラテンガラス、５１Ａ・・・第一領域、５１Ｂ・・・第二領域、５３・・・ガイド部、５５・・・ケーブル、５５Ａ・・・ケーブルの一端、５５Ｂ・・・ケーブルの他端、５５Ｃ・・・ケーブルの湾曲部、５７，５８・・・スペーサ、５７Ａ，５７Ｂ，５８Ａ，５８Ｂ・・・転動輪、５７Ｃ，５７Ｄ，５８Ｃ，５８Ｄ・・・凸部、５８Ｅ・・・保持部、６１Ａ，６１Ｂ・・・圧縮ばね、６３・・・テンションバー、６４・・・当接部、６５・・・弾性延出片、６５Ａ・・・凸部、６９・・・ロック機構。
【図１】
2014068146.tif 000003
【図２】
2014068146.tif 000004
【図３】
2014068146.tif 000005
【図４】
2014068146.tif 000006
【図５】
2014068146.tif 000007
【図６】
2014068146.tif 000008
【図７】
2014068146.tif 000009
【図８】
2014068146.tif 000010
【図９】
2014068146.tif 000011